(57)【特許請求の範囲】
【請求項１】
負荷情報を取得するための方法であって、
無線アクセス技術間(Inter-Radio Access Technology(RAT))ハンドオーバが実行される前に、ソースセルが属するソースアクセスコントローラによって、ターゲットセルが属するターゲットアクセスコントローラに、コアネットワークを介して無線アクセスネットワーク(RAN)情報管理(RIM)に基づく負荷情報要求メッセージを送信するステップと、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信するステップと
を含むことを特徴とする方法。
【請求項２】
前記Inter-RATハンドオーバは、ユニバーサルモバイル通信システム地上波無線アクセスネットワーク(UTRAN)から進化型UTRAN(E‐UTRAN)へのハンドオーバであり、前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、
前記ソースセルが属するソース無線ネットワークコントローラ(RNC)によって、サービングGPRSサポートノード(Serving GPRS Support Node、SGSN)または移動交換局(MSC)に第1のDIRECT INFORMATION TRANSFERメッセージを送信するステップを含み、前記第1のDIRECT INFORMATION TRANSFERメッセージは、前記SGSNまたは前記MSCが、前記ターゲットセルが属するターゲット進化型NodeB(eNB)に、第1のシステム間情報転送タイプ(Inter-System Information Transfer Type)情報要素(IE)を伝える第1のMME DIRECT INFORMATION TRANSFERメッセージを送信するために、前記ソースセルの負荷情報IEを伝える第1のRIM転送IEを伝える第1のInter-System Information Transfer Type IEを伝え、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信する前記ステップが、
ソースRNCによって、前記SGSNまたは前記MSCによって返信された第2のDIRECT INFORMATION TRANSFERメッセージを受信するステップを含み、前記第2のDIRECT INFORMATION TRANSFERメッセージは、ターゲットeNBによって返信されたeNB DIRECT INFORMATION TRANSFERメッセージに応じて前記SGSNまたは前記MSCによって返信され、前記eNB DIRECT INFORMATION TRANSFERメッセージは、前記ターゲットセルの負荷情報IEを伝える第2のRIM TRANSFER IEを伝える第2のInter-System Information Transfer Type IEを伝え、前記第2のDIRECT INFORMATION TRANSFERメッセージは前記第2のInter-System Information Transfer Type IEを伝えることを特徴とする請求項1に記載の方法。
【請求項３】
前記Inter-RATハンドオーバは、進化型ユニバーサルモバイル通信システム地上波無線アクセスネットワーク(E-UTRAN)からユニバーサルモバイル通信システム地上波無線アクセスネットワーク(UTRAN)へのハンドオーバであり、前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、
前記ソースセルが属するソース進化型NodeB(eNB)によって、サービングGPRSサポートノード(Serving GPRS Support Node、SGSN)または移動交換局(MSC)に、eNB DIRECT INFORMATION TRANSFERメッセージを送信するステップを含み、前記eNB DIRECT INFORMATION TRANSFERメッセージは、前記SGSNまたは前記MSCが、前記ターゲットセルが属するターゲット無線ネットワークコントローラ(RNC)に第2のDIRECT INFORMATION TRANSFERメッセージを送信するために、前記ソースセルの負荷情報の情報要素(IE)を伝える第2のRIM TRANSFER IEを伝える第2のシステム間情報転送タイプ(Inter-System Information Transfer Type)IEを伝え、前記第2のDIRECT INFORMATION TRANSFERメッセージは前記第2のInter-System Information Transfer Type IEを伝え、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信する前記ステップが、
ソースeNBによって、前記SGSNまたは前記MSCによって返信された第1のMME DIRECT INFORMATION TRANSFERメッセージを受信するステップを含み、前記第1のMME DIRECT INFORMATION TRANSFERメッセージは、ターゲットRNCによって返信された前記第1のDIRECT INFORMATION TRANSFERメッセージに応じて前記SGSNまたは前記MSCによって返信され、前記第1のDIRECT INFORMATION TRANSFERメッセージは、前記ターゲットセルの負荷情報IEを伝える第1のRIM TRANSFER IEを伝える前記第1のInter-System Information Transfer Type IEを伝え、前記第1のMME DIRECT INFORMATION TRANSFERメッセージは前記第1のInter-System Information Transfer Type IEを伝えることを特徴とする請求項1に記載の方法。
【請求項４】
前記Inter-RATハンドオーバは、モバイル通信用グローバルシステム(GSM(登録商標))/GSM(登録商標)進化型高速データレート(EDGE)無線アクセスネットワーク(GERAN)から進化型ユニバーサルモバイル通信システム地上波無線アクセスネットワーク(E‐UTRAN)へのハンドオーバであり、前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、
前記ソースセルが属するソース基地局システム(BSS)によって、サービングGPRSサポートノード(Serving GPRS Support Node、SGSN)または移動交換局(MSC)に、第2のRIM-PDU-TRANSFER.reqメッセージを送信するステップを含み、前記第2のRIM-PDU-TRANSFER.reqメッセージは、前記SGSNまたは前記MSCが、前記ターゲットセルが属するターゲット進化型NodeB(eNB)に第2のMME DIRECT INFORMATION TRANSFERメッセージを送信するために、前記ソースセルの負荷情報の情報要素(IE)を伝える第3のRIMコンテナIEを伝え、前記第2のMME DIRECT INFORMATION TRANSFERメッセージは、前記ソースセルの負荷情報IEを伝える第3のRIM TRANSFER IEを伝える第3のシステム間情報転送タイプ(Inter-System Information Transfer Type)IEを伝え、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信する前記ステップが、
ソースBSSによって、前記SGSNまたは前記MSCによって返信された第3のRIM-PDU-TRANSFER.indメッセージを受信するステップを含み、前記第3のRIM-PDU-TRANSFER.indメッセージは、ターゲットeNBによって返信されたeNB DIRECT INFORMATION TRANSFERメッセージに応じて前記SGSNまたは前記MSCによって返信され、前記eNB DIRECT INFORMATION TRANSFERメッセージは、前記ターゲットセルの負荷情報IEを伝える第2のRIM TRANSFER IEを伝える前記第2のInter-System Information Transfer Type IEを伝え、前記第3のRIM-PDU-TRANSFER.indメッセージは、前記ターゲットセルの負荷情報IEを伝える第5のRIM CONATINER IEを伝えることを特徴とする請求項1に記載の方法。
【請求項５】
前記Inter-RATハンドオーバは、進化型ユニバーサルモバイル通信システム地上波無線アクセスネットワーク(E-UTRAN)からモバイル通信用グローバルシステム(GSM(登録商標))/GSM(登録商標)進化型高速データレート(EDGE)無線アクセスネットワーク(GERAN)へのハンドオーバであり、前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、
前記ソースセルが属するソース進化型NodeB(eNB)によって、サービングGPRSサポートノード(Serving GPRS Support Node、SGSN)または移動交換局(MSC)にeNB DIRECT INFORMATION TRANSFERメッセージを送信するステップを含み、前記eNB DIRECT INFORMATION TRANSFERメッセージは、前記SGSNまたは前記MSCが、前記ターゲットセルが属するターゲット基地局システム(BSS)に、前記ソースセルの負荷情報の情報要素(IE)を伝える第6のRIM CONATINER IEを伝える第3のRIM-PDU-TRANSFER.reqメッセージを送信するために、前記ソースセルの負荷情報IEを伝える第2のRIM TRANSFER IEを伝える第2のシステム間情報転送タイプ(Inter-System Information Transfer Type)IEを伝え、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信する前記ステップが、
ソースeNBによって、前記SGSNまたは前記MSCによって返信された第2のMME DIRECT INFORMATION TRANSFERメッセージを受信するステップを含み、前記第2のMME DIRECT INFORMATION TRANSFERメッセージは、ターゲットBSSによって返信された第1のRIM-PDU-TRANSFER.indメッセージに応じて前記SGSNまたは前記MSCによって返信され、前記第1のRIM-PDU-TRANSFER.indメッセージは、前記ターゲットセルの負荷情報IEを伝える第2のRIM CONATINER IEを伝え、前記第2のMME DIRECT INFORMATION TRANSFERメッセージは、前記ターゲットセルの負荷情報IEを伝える第3のRIM TRANSFER IEを伝える前記第3のInter-System Information Transfer Type IEを伝えることを特徴とする請求項1に記載の方法。
【請求項６】
前記Inter-RATハンドオーバは、ユニバーサルモバイル通信システム地上波無線アクセスネットワーク(UTRAN)からモバイル通信用グローバルシステム(GSM(登録商標))/GSM(登録商標)進化型高速データレート(EDGE)無線アクセスネットワーク(GERAN)へのハンドオーバであり、前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、
前記ソースセルが属するソース無線ネットワークコントローラ(RNC)によって、サービングGPRSサポートノード(Serving GPRS Support Node、SGSN)または移動交換局(MSC)に第1のDIRECT INFORMATION TRANSFERメッセージを送信するステップを含み、前記第1のDIRECT INFORMATION TRANSFERメッセージは、前記SGSNまたは前記MSCが、前記ターゲットセルが属するターゲット基地局システム(BSS)に、前記ソースセルの負荷情報の情報要素(IE)を伝える第1のRIM CONATINER IEを伝える第1のRIM-PDU-TRANSFER.reqメッセージを送信するために、前記ソースセルの負荷情報IEを伝える第1のRIM TRANSFER IEを伝える第1のシステム間情報転送タイプ(Inter-System Information Transfer Type)IEを伝え、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信する前記ステップが、
ソースRNCによって、前記SGSNまたは前記MSCによって返信された第3のDIRECT INFORMATION TRANSFERメッセージを受信するステップを含み、前記第3のDIRECT INFORMATION TRANSFERメッセージは、ターゲットeNBによって返信された前記ターゲットセルの負荷情報IEを伝える第2のRIM CONATINER IEを伝える前記第1のRIM-PDU-TRANSFER.indメッセージに応じて前記SGSNまたは前記MSCによって返信されて、前記ターゲットセルの負荷情報IEを伝える第3のRIM TRANSFER IEを伝える第3のInter-System Information Transfer Type IEを伝えることを特徴とする請求項1に記載の方法。
【請求項７】
前記Inter-RATハンドオーバは、モバイル通信用グローバルシステム(GSM(登録商標))/GSM(登録商標)進化型高速データレート(EDGE)無線アクセスネットワーク(GERAN)からユニバーサルモバイル通信システム地上波無線アクセスネットワーク(UTRAN)へのハンドオーバであり、前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、
前記ソースセルが属するソース基地局システム(BSS)によって、サービングGPRSサポートノード(Serving GPRS Support Node、SGSN)または移動交換局(MSC)に第2のRIM-PDU-TRANSFER.reqメッセージを送信するステップを含み、前記第2のRIM-PDU-TRANSFER.reqメッセージは、前記SGSNまたは前記MSCが、前記ターゲットセルが属するターゲット無線交換局(RNC)に、前記ソースセルの負荷情報の情報要素(IE)を伝える第3のRIM TRANSFER IEを伝える前記第3のDIRECT INFORMATION TRANSFERメッセージを送信するために、前記ソースセルの負荷情報IEを伝える第3のRIM CONATINER IEを伝え、
ソースアクセスコントローラによって、前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信する前記ステップが、
ソースBSSによって、前記SGSNまたは前記MSCによって返信された第2のRIM-PDU-TRANSFER.indメッセージを受信するステップを含み、前記第2のRIM-PDU-TRANSFER.indメッセージは、ターゲットRNCによって返信された第1のDIRECT INFORMATION TRANSFERメッセージに応じて前記SGSNまたは前記MSCによって返信され、前記第1のDIRECT INFORMATION TRANSFERメッセージは、前記ターゲットセルの負荷情報IEを伝える第1のRIM TRANSFER IEを伝える前記第1のInter-System Information Transfer Type IEを伝え、前記第2のRIM-PDU-TRANSFER.indメッセージは前記ターゲットセルの負荷情報IEを伝える第4のRIM CONATINER IEを伝えることを特徴とする請求項1に記載の方法。
【請求項８】
ターゲットセルが1個または複数個あることを特徴とする請求項1から7のいずれか一項に記載の方法。
【請求項９】
前記ソースセルが属するソースアクセスコントローラによって、前記ターゲットセルが属する前記ターゲットアクセスコントローラに、前記コアネットワークを介して前記RIMに基づく負荷情報要求メッセージを送信する前記ステップが、前記ソースセルが属するソースアクセスコントローラによって、前記ターゲットセルが属する前記ターゲットアクセスコントローラに、前記コアネットワークを介して前記RIMに基づく負荷情報要求メッセージをイベント駆動方式または定期方式で送信するステップを含むことを特徴とする請求項1から8のいずれか一項に記載の方法。
【請求項１０】
前記RIMに基づく負荷情報要求メッセージが前記ソースセルの負荷情報を伝えることを特徴とする請求項1から9のいずれか一項に記載の方法。
【請求項１１】
アクセスコントローラであって、
無線アクセス技術間(Inter-Radio Access Technology(RAT))ハンドオーバが実行される前に、ターゲットセルが属するターゲットアクセスコントローラに、コアネットワークを介して無線アクセスネットワーク(RAN)情報管理(RIM)に基づく負荷情報要求メッセージを送信するように構成された第3の送信モジュールと、
前記RIMに基づく負荷情報要求メッセージに応じて前記ターゲットアクセスコントローラによって返信された、前記ターゲットセルの負荷情報を伝える前記RIMに基づく負荷情報応答メッセージを、前記コアネットワークを介して受信するように構成された第3の受信モジュールと
を含むことを特徴とするアクセスコントローラ。
【請求項１２】
負荷情報を取得するためのシステムであって、ソース無線アクセス技術(RAT)システムのソースセルが属する第2のアクセスコントローラと、ターゲットRATシステムのターゲットセルが属する第2のターゲットアクセスコントローラとを備え、
第2のソースアクセスコントローラは、無線アクセス技術間(Inter-RAT)ハンドオーバが実行される前に、前記ターゲットセルが属する前記第2のターゲットアクセスコントローラに、コアネットワークを介して無線アクセスネットワーク(RAN)情報管理(RIM)に基づく負荷情報要求メッセージを送信し、前記第2のターゲットアクセスコントローラによって返信された、前記ターゲットセルの負荷情報を伝える前記RIMに基づく負荷情報応答メッセージを、前記コアネットワークを介して受信するように構成され、
前記第2のターゲットアクセスコントローラは、前記ソースセルが属する第2のソースアクセスコントローラによって前記コアネットワークを介して送信された前記RIMに基づく負荷情報要求メッセージを受信し、第2のソースアクセスコントローラに前記RIMに基づく負荷情報応答メッセージを、前記コアネットワークを介して返信するように構成される
ことを特徴とするシステム。
【請求項１３】
コンピュータ可読記憶媒体であって、コンピュータユニットによって実行された場合に、請求項1から10のいずれか一項に記載の方法をコンピュータユニットに実行させるコンピュータプログラムコードを含むことを特徴とするコンピュータ可読記憶媒体。
【発明の詳細な説明】
【技術分野】
【０００１】
本発明は、移動通信技術の分野に関し、詳細には、負荷情報を取得するための方法、装置、およびシステムに関する。
【背景技術】
【０００２】
ネットワークがブロードバンド移動体システム化する際、第三世代パートナーシッププロジェクト(3rd Generation Partnership Project 3GPP)は、モバイルアクセスネットワークにはロングタームエボリューション(Long Term Evolution、LTE)のソリューション、すなわち進化型ユニバーサルモバイル通信システム地上波無線アクセスネットワーク(Evolved Universal Mobile Telecommunication System Terrestrial Radio Access Network、E-UTRAN)を提案し、モバイルコアネットワークにはシステムアーキテクチャエボリューション(System Architecture Evolution、SAE)のソリューション、すなわち進化型パケットコア(Evolved Packet Core、EPC)を提案する。一部の事業者は、進化型パケットシステム(Evolved Packet System、EPS)ネットワークが展開された後でもなお、そのEPSネットワークがパケット交換(Packet Switched、PS)ドメインデータアクセスのみを提供する一方で、従来の2G/3G無線アクセスネットワーク(RAN)および回線交換(Circuit Switched、CS)ドメインコアネットワークを介して音声サービスが提供されることを期待しているため、LTE/SAEアーキテクチャでは、一定期間はEPSネットワークと従来の2G/3G CSドメインコアネットワークが共存する。ユーザ装置(User Equipment、UE)は、モバイル通信用グローバルシステム(Global System for Mobile Communications、GSM(登録商標))/GSM(登録商標)進化型高速データレート(Enhanced Data Rate for GSM(登録商標) Evolution、EDGE)無線アクセスネットワーク(Radio Access Network、GERAN)またはユニバーサルモバイル通信システム地上波無線アクセスネットワーク(Universal Mobile Telecommunication System Terrestrial Radio Access Network、UTRAN)といった2G/3G RANを介してCSドメインコアネットワークにアクセスすることができ、E-UTRANを介してEPCにアクセスすることができる。
【０００３】
RAN、すなわち無線アクセス技術(Radio Access Technology、RAT)システム間の負荷を分散させるために、Inter-RATハンドオーバがサポートされる。UEが2G/3G RATシステム間でCSドメインハンドオーバを実行する際、ソースRATシステムのソースセルが属するソースアクセスコントローラは、RELOCATION REQUIREDメッセージ、およびRELOCATION COMMANDメッセージまたはRELOCATION PREPARATION FAILUREメッセージを介してターゲットRATシステムのターゲットセルが属するアクセスコントローラと対話することができる。
【０００４】
上記の各技術ソリューションでは、Inter-RAT PSドメインハンドオーバが実行される際、またはInter-RAT CSまたはPSドメインハンドオーバが実行される前に、ソースRATシステムはターゲットRATシステムの負荷情報を取得することができず、したがって、Inter-RAT負荷分散を実施することができない。その結果、システムの通信品質を保証することができない。
【発明の概要】
【課題を解決するための手段】
【０００５】
本発明の実施形態によれば、ソースRATシステムによるターゲットRATシステムの負荷情報の取得を可能にし、その結果、Inter-RAT負荷分散を実施してシステムの通信品質を保証できるようにする、負荷情報を取得するための方法、装置、およびシステムが提供される。
【０００６】
本発明の一実施形態は、負荷情報を取得するための方法を提供する。この方法は、
Inter-RAT PSドメインハンドオーバが実行される際に、ソースセルが属するソースアクセスコントローラによって、ターゲットセルが属するターゲットアクセスコントローラに、コアネットワークを介してInter-RATハンドオーバ要求メッセージを送信するステップと、
ソースアクセスコントローラによって、Inter-RATハンドオーバ要求メッセージに応じてターゲットアクセスコントローラによって返信された、ターゲットセルの負荷情報を伝えるInter-RATハンドオーバ応答メッセージを、コアネットワークを介して受信するステップと
を含む。
【０００７】
本発明の一実施形態は、負荷情報を取得するための他の方法を提供する。この方法は、
Inter-RATハンドオーバが実行される前に、ソースセルが属するソースアクセスコントローラによって、ターゲットセルが属するターゲットアクセスコントローラに、コアネットワークを介してRAN情報管理(RAN Information Management、RIM)に基づく負荷情報要求メッセージを送信するステップと、
ソースアクセスコントローラによって、RIMに基づく負荷情報要求メッセージに応じてターゲットアクセスコントローラによって返信された、ターゲットセルの負荷情報を伝えるRIMに基づく負荷情報応答メッセージを、コアネットワークを介して受信するステップと
を含む。
【０００８】
本発明の一実施形態は、アクセスコントローラを提供する。このアクセスコントローラは、
Inter-RAT PSドメインハンドオーバが実行される際に、ターゲットセルが属するターゲットアクセスコントローラに、コアネットワークを介してInter-RATハンドオーバ要求メッセージを送信するように構成された第1の送信モジュールと、
Inter-RATハンドオーバ要求メッセージに応じてターゲットアクセスコントローラによって返信された、ターゲットセルの負荷情報を伝えるInter-RATハンドオーバ応答メッセージを、コアネットワークを介して受信するように構成された第1の受信モジュールと
を含む。
【０００９】
本発明の一実施形態は、他のアクセスコントローラを提供する。このアクセスコントローラは、
Inter- RATハンドオーバが実行される前に、ターゲットセルが属するターゲットアクセスコントローラに、コアネットワークを介してRIMに基づく負荷情報要求メッセージを送信するように構成された第3の送信モジュールと、
RIMに基づく負荷情報要求メッセージに応じてターゲットアクセスコントローラによって返信された、ターゲットセルの負荷情報を伝えるRIMに基づく負荷情報応答メッセージを、コアネットワークを介して受信するように構成された第3の受信モジュールと
を含む。
【００１０】
本発明の一実施形態は、負荷情報を取得するためのシステムを提供する。このシステムは、ソースRATシステムのソースセルが属する第1のソースアクセスコントローラと、ターゲットRATシステムのターゲットセルが属する第1のターゲットアクセスコントローラとを備え、
第1のソースアクセスコントローラは、Inter-RAT PSドメインハンドオーバが実行される際に、ターゲットセルが属する第1のターゲットアクセスコントローラに、コアネットワークを介してInter-RATハンドオーバ要求メッセージを送信し、第1のターゲットアクセスコントローラによって返信された、ターゲットセルの負荷情報を伝えるInter-RATハンドオーバ応答メッセージを、コアネットワークを介して受信するように構成され、
第1のターゲットアクセスコントローラは、ソースセルが属する第1のソースアクセスコントローラによってコアネットワークを介して送信されたInter-RATハンドオーバ要求メッセージを受信し、第1のソースアクセスコントローラにコアネットワークを介してInter-RATハンドオーバ応答メッセージを返信するように構成される。
【００１１】
本発明の一実施形態は、負荷情報を取得するための他のシステムを提供する。このシステムは、ソースRATシステムのソースセルが属する第2のソースアクセスコントローラと、ターゲットRATシステムのターゲットセルが属する第2のターゲットアクセスコントローラとを備え、
第2のソースアクセスコントローラは、Inter-RATハンドオーバが実行される前に、ターゲットセルが属する第2のターゲットアクセスコントローラに、コアネットワークを介してRIMに基づく負荷情報要求メッセージを送信し、第2のターゲットアクセスコントローラによって返信された、ターゲットセルの負荷情報を伝えるRIMに基づく負荷情報応答メッセージを、コアネットワークを介して受信するように構成され、
第2のターゲットアクセスコントローラは、ソースセルが属する第2のソースアクセスコントローラによってコアネットワークを介して送信されたRIMに基づく負荷情報要求メッセージを受信し、第2のソースアクセスコントローラにRIMに基づく負荷情報応答メッセージを、コアネットワークを介して返信するように構成される。
【００１２】
上記の各技術ソリューションによれば、本発明の実施形態のソースアクセスコントローラとターゲットアクセスコントローラはInter-RATハンドオーバ関連メッセージを介して対話することができ、その結果、ソースRATシステムは、Inter-RAT PSドメインハンドオーバが実行される際にターゲットRATシステムの負荷情報を取得することができ、したがって、異なるRATシステム間での負荷分散の実施が可能とされる。これは、システムの通信品質を保証する。本発明の実施形態のソースアクセスコントローラとターゲットアクセスコントローラはさらに、RIMに基づく負荷情報要求メッセージとRIMに基づく負荷情報応答メッセージを介しても対話することができ、したがってソースRATシステムは、Inter-RATハンドオーバが実行される前にターゲットRATシステムの負荷情報を取得することができ、その結果、Inter-RAT負荷分散の実施が可能とされる。これは、システムの通信品質を保証する。
【００１３】
本発明の技術的ソリューションをより分かり易く説明するために、本発明の実施形態または従来技術の説明に必要な添付の図面について簡略に記載する。添付の図面が本発明の一部の実施形態のみを示すことは明らかである。当業者は、いかなる創作努力をも伴うことなくこれらの図面から他の図面を導き出しうる。
【図面の簡単な説明】
【００１４】
【図１】図1は、本発明の第1の実施形態による負荷情報を取得するための方法の概略的なフローチャートである。
【図２】図2は、本発明の第2の実施形態による負荷情報を取得するための方法の概略的なフローチャートである。
【図３】図3は、本発明の第3の実施形態による負荷情報を取得するための方法の概略的なフローチャートである。
【図４】図4は、本発明の第4の実施形態による負荷情報を取得するための方法の概略的なフローチャートである。
【図５】図5は、本発明の第5の実施形態による負荷情報を取得するための方法の概略的なフローチャートである。
【図６】図6は、本発明の第6の実施形態による負荷情報を取得するための方法の概略的なフローチャートである。
【図７】図7は、本発明の第7の実施形態による負荷情報を取得するための方法の概略的なフローチャートである。
【図８】図8は、本発明の第8の実施形態による負荷情報を取得するための他の方法の概略的なフローチャートである。
【図９】図9は、本発明の第9の実施形態による負荷情報を取得するための他の方法の概略的なフローチャートである。
【図１０】図10は、本発明の第10の実施形態による負荷情報を取得するための他の方法の概略的なフローチャートである。
【図１１】図11は、本発明の第11の実施形態による負荷情報を取得するための他の方法の概略的なフローチャートである。
【図１２】図12は、本発明の第12の実施形態による負荷情報を取得するための他の方法の概略的なフローチャートである。
【図１３】図13は、本発明の第13の実施形態による負荷情報を取得するための他の方法の概略的なフローチャートである。
【図１４】図14は、本発明の第14の実施形態による負荷情報を取得するための他の方法の概略的なフローチャートである。
【図１５】図15は、本発明の第15の実施形態によるアクセスコントローラの概略的な構造図である。
【図１６】図16は、本発明の第16の実施形態による他のアクセスコントローラの概略的な構造図である。
【図１７】図17は、本発明の第17の実施形態によるさらに他のアクセスコントローラの概略的な構造図である。
【図１８】図18は、本発明の第18の実施形態によるさらに他のアクセスコントローラの概略的な構造図である。
【図１９】図19は、本発明の第19の実施形態による負荷情報を取得するためのシステムの概略的な構造図である。
【図２０】図20は、本発明の第20の実施形態による負荷情報を取得するための他のシステムの概略的な構造図である。
【発明を実施するための形態】
【００１５】
本発明の技術的ソリューションをより分かり易く説明するために、本発明の実施形態を添付の図面を参照して詳細に説明する。言うまでもなく、本明細書の実施形態は、本発明の一部の実施形態にすぎな。当業者は、いかなる創作努力も伴うことなく、本発明のこれらの実施形態に基づいて他の実施形態を導き出すことができ、また、それらの他の実施形態はすべて本発明の保護範囲に含まれる。
【００１６】
本明細書では、説明の便宜上、ターゲットRATシステムのターゲットセルの負荷情報をターゲットRATシステムの負荷情報と呼ぶ。同様に、ソースRATシステムのソースセルの負荷情報をソースRATシステムの負荷情報と呼ぶ。
【００１７】
図1は、本発明の第1の実施形態による負荷情報を取得するための方法のフローチャートである。図1に示すように、本実施形態の負荷情報を取得するための方法は以下のステップを含む。
【００１８】
ステップ101:Inter-RAT PSドメインハンドオーバが実行される際に、ソースRATシステムのソースセルが属するソースアクセスコントローラは、ターゲットRATシステムのターゲットセルが属するターゲットアクセスコントローラに、コアネットワークを介してInter-RATハンドオーバ要求メッセージを送信する。
【００１９】
ステップ102:ソースアクセスコントローラは、Inter-RATハンドオーバ要求メッセージに応じてターゲットアクセスコントローラによって返信された、ターゲットセルの負荷情報を伝えるInter-RATハンドオーバ応答メッセージを、コアネットワークを介して受信する。
【００２０】
本実施形態のソースRATシステムとターゲットRATシステムは、GERAN、UTRAN、およびE-UTRANのいずれか2つのシステムであってよい。対応するアクセスコントローラは、それぞれ基地局システム(Base Station System、BSS)、無線ネットワークコントローラ(Radio Network Controller、RNC)、または進化型NodeB (evolved NodeB、eNB)である。
【００２１】
本実施形態では、ターゲットセルの負荷情報の伝達は、Inter-RATハンドオーバ関連メッセージで伝えられる透過コンテナ(Transparent Container)情報要素(Information Element、IE)によって実施されうる。
【００２２】
本実施形態では、ソースアクセスコントローラとターゲットアクセスコントローラは、Inter-RATハンドオーバ関連メッセージを介して対話する。Inter-RAT PSドメインハンドオーバが実行される際、ソースRATシステムは、上記の方法で、ターゲットRATシステムの負荷情報を取得することができ、その結果、異なるRATシステム間での負荷分散の実施が可能とされる。したがって、システムの通信品質を保証することができる。
【００２３】
前述のRATシステムのいずれか2つの間におけるInter-RAT PSドメインハンドオーバが実施される。異なるRATシステムの各アクセスコントローラは、異なるハンドオーバ関連メッセージを介してコアネットワークと対話する。具体的な手順を、本発明の以下の6例の実施形態で詳細に説明する。
【００２４】
図2は、本発明の第2の実施形態による負荷情報を取得するための方法の概略的なフローチャートである。図2に示すように、本実施形態は、UTRANからE-UTRANへのPSドメインハンドオーバに適用可能である。本実施形態の負荷情報を取得するための方法は、以下のステップを含みうる。
【００２５】
ステップ201:ソースセルが属するソースRNCは、サービングGPRSサポートノード(Serving GPRS Support Node、SGSN)に、ソースセル負荷情報IEを伝える第1のTransparent Container IEを伝えるRELOCATION REQUIRED(RELOCATION REQUIRED)メッセージを送信する。
【００２６】
ステップ202:SGSNは、RELOCATION REQUIREDメッセージを受信し、ターゲットセルが属するターゲットeNBに、第1のTransparent Container IEを伝える第1のHANDOVER REQUESTメッセージを送信する。
【００２７】
ステップ203:ターゲットeNBは、第1のHANDOVER REQUESTメッセージを受信し、SGSNに、ターゲットセル負荷情報IEを伝える第2のTransparent Container IEを伝えるHANDOVER REQUEST ACKNOWLEDGEメッセージを返信する。
【００２８】
ステップ204:SGSNは、HANDOVER REQUEST ACKNOWLEDGEメッセージを受信し、ソースRNCに、第2のTransparent Container IEを伝える第1のRELOCATION COMMANDメッセージを返信する。
【００２９】
本実施形態では、第1のTransparent Container IEは、システム間情報透過コンテナ(Inter-System Information Transparent Container)IEまたはソースeNBからターゲットeNBへの透過コンテナ(Source eNB To Target eNB Transparent Container)IEであってよい。同様に、第2のTransparent Container IEは、Inter-System Information Transparent Container IEまたはターゲットeNBからソースeNBへの透過コンテナ(Target eNB To Source eNB Transparent Container)IEであってよい。
【００３０】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。UTRANからE-UTRANへのInter-RAT PSドメインハンドオーバが実行される際、UTRANとE-UTRANは、上記の方法で、ピアシステムの負荷情報を取得することができ、その結果、異なるRATシステム間での負荷分散の実施が可能とされる。したがって、システムの通信品質が保証される。
【００３１】
図3は、本発明の第3の実施形態による負荷情報を取得するための方法の概略的なフローチャートである。図3に示すように、本実施形態は、UTRANからGERANへのPSドメインハンドオーバに適用可能である。本実施形態の負荷情報を取得するための方法は、以下のステップを含みうる。
【００３２】
ステップ301:ソースセルが属するソースRNCは、SGSNに、ソースセル負荷情報IEを伝える第1のTransparent Container IEを伝えるRELOCATION REQUIREDメッセージを送信する。
【００３３】
ステップ302:SGSNは、RELOCATION REQUIREDメッセージを受信し、ターゲットセルが属するターゲットBSSに、第1のTransparent Container IEを伝える第1のPS-HANDOVER-REQUESTメッセージを送信する。
【００３４】
ステップ303:ターゲットBSSは、第1のPS-HANDOVER REQUESTメッセージを受信し、SGSNに、ターゲットセル負荷情報IEを伝える第2のTransparent Container IEを伝えるPS-HANDOVER-REQUEST-ACKNOWLEDGEメッセージを返信する。
【００３５】
ステップ304:SGSNは、PS-HANDOVER-REQUEST-ACKNOWLEDGEメッセージを受信し、ソースRNCに、第2のTransparent Container IEを伝える第2のRELOCATION COMMANDメッセージを返信する。
【００３６】
本実施形態では、第1のTransparent Container IEは、Inter-System Information Transparent Container IEまたはソースBSSからターゲットBSSへの透過コンテナ(Source BSS To Target BSS Transparent Container)IEであってよい。同様に、第2のTransparent Container IEは、Inter-System Information Transparent Container IEまたはターゲットBSSからソースBSSへの透過コンテナ(Target BSS To Source BSS Transparent Container)IEであってよい。
【００３７】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。UTRANからGERANへのInter-RAT PSドメインハンドオーバが実行される際、UTRANとGERANは、上記の方法で、ピアシステムの負荷情報を取得することができ、その結果、異なるRATシステム間での負荷分散の実施が可能とされる。したがって、システムの通信品質が保証される。
【００３８】
図4は、本発明の第4の実施形態による負荷情報を取得するための方法の概略的なフローチャートである。図4に示すように、本実施形態は、E-UTRANからUTRANへのPSドメインハンドオーバに適用可能である。本実施形態の負荷情報を取得するための方法は、以下のステップを含みうる。
【００３９】
ステップ401:ソースセルが属するソースeNBは、SGSNに、ソースセル負荷情報IEを伝える第1のTransparent Container IEを伝えるHANDOVER REQUIRED(HANDOVER REQUIRED)メッセージを送信する。
【００４０】
ステップ402:SGSNは、HANDOVER REQUIREDメッセージを受信し、ターゲットセルが属するターゲットRNCに、第1のTransparent Container IEを伝える第1のRELOCATION REQUESTメッセージを送信する。
【００４１】
ステップ403:ターゲットRNCは、第1のRELOCATION REQUESTメッセージを受信し、SGSNに、ターゲットセル負荷情報IEを伝える第2のTransparent Container IEを伝えるRELOCATION REQUEST ACKNOWLEDGEメッセージを返信する。
【００４２】
ステップ404:SGSNは、RELOCATION REQUEST ACKNOWLEDGEメッセージを受信し、ソースeNBに、第2のTransparent Container IEを伝える第1のRELOCATION COMMANDメッセージを返信する。
【００４３】
本実施形態では、第1のTransparent Container IEは、Inter-System Information Transparent Container IEまたはソースRNCからターゲットRNCへの透過コンテナ(Source RNC To Target RNC Transparent Container)IEであってよい。同様に、第2のTransparent Container IEは、Inter-System Information Transparent Container IEまたはターゲットRNCからソースRNCへの透過コンテナ(Target RNC To Source RNC Transparent Container)IEであってよい。
【００４４】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。E-UTRANからUTRANへのInter-RAT PSドメインハンドオーバが実行される際、E-UTRANとUTRANは、上記の方法で、ピアシステムの負荷情報を取得することができ、その結果、異なるRATシステム間での負荷分散の実施が可能とされる。したがって、システムの通信品質が保証される。
【００４５】
図5は、本発明の第5の実施形態による負荷情報を取得するための方法の概略的なフローチャートである。図5に示すように、本実施形態は、GERANからUTRANへのPSドメインハンドオーバに適用可能である。本実施形態の負荷情報を取得するための方法は、以下のステップを含みうる。
【００４６】
ステップ501:ソースセルが属するソースBSSは、SGSNに、ソースセル負荷情報IEを伝える第1のTransparent Container IEを伝えるPS-HANDOVER-REQUIRED(PS-HANDOVER-REQUIRED)メッセージを送信する。
【００４７】
ステップ502:SGSNは、PS-HANDOVER-REQUIREDメッセージを受信し、ターゲットセルが属するターゲットRNCに、第1のTransparent Container IEを伝える第2のRELOCATION REQUESTメッセージを送信する。
【００４８】
ステップ503:ターゲットRNCは、第2のRELOCATION REQUESTメッセージを受信し、SGSNに、ターゲットセル負荷情報IEを伝える第2のTransparent Container IEを伝えるRELOCATION REQUEST ACKNOWLEDGEメッセージを返信する。
【００４９】
ステップ504:SGSNは、RELOCATION REQUEST ACKNOWLEDGEメッセージを受信し、ソースBSSに、第2のTransparent Container IEを伝える第1のPS-HANDOVER-REQUIRED-ACK(PS-HANDOVER-REQUIRED-ACK)メッセージを返信する。
【００５０】
本実施形態では、第1のTransparent Container IEは、Inter-System Information Transparent Container IEまたはSource RNC To Target RNC Transparent Container IEであってよい。同様に、第2のTransparent Container IEは、Inter-System Information Transparent Container IEまたはTarget RNC To Source RNC Transparent Container IEであってよい。
【００５１】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。GERANからUTRANへのInter-RAT PSドメインハンドオーバが実行される際、GERANとUTRANは、上記の方法で、ピアシステムの負荷情報を取得することができ、その結果、異なるRATシステム間での負荷分散の実施が可能とされる。したがって、システムの通信品質が保証される。
【００５２】
図6は、本発明の第6の実施形態による負荷情報を取得するための方法の概略的なフローチャートである。図6に示すように、本実施形態は、GERANからE-UTRANへのPSドメインハンドオーバに適用可能である。本実施形態の負荷情報を取得するための方法は、以下のステップを含みうる。
【００５３】
ステップ601:ソースセルが属するソースBSSは、SGSNに、ソースセル負荷情報IEを伝える第1のTransparent Container IEを伝えるPS-HANDOVER-REQUIREDメッセージを送信する。
【００５４】
ステップ602:SGSNは、PS-HANDOVER-REQUIREDメッセージを受信し、ターゲットセルが属するターゲットeNBに、第1のTransparent Container IEを伝える第2のHANDOVER REQUESTメッセージを送信する。
【００５５】
ステップ603:ターゲットeNBは、第2のHANDOVER REQUESTメッセージを受信し、SGSNに、ターゲットセル負荷情報IEを伝える第2のTransparent Container IEを伝えるHANDOVER REQUEST ACKNOWLEDGEメッセージを返信する。
【００５６】
ステップ604:SGSNは、HANDOVER REQUEST ACKNOWLEDGEメッセージを受信し、ソースBSSに、第2のTransparent Container IEを伝える第2のPS-HANDOVER-REQUIRED-ACKメッセージを返信する。
【００５７】
本実施形態では、第1のTransparent Container IEは、Inter-System Information Transparent Container IEまたはSource eNB To Target eNB Transparent Container IEであってよい。同様に、第2のTransparent Container IEは、Inter-System Information Transparent Container IEまたはTarget eNB To Source eNB Transparent Container IEであってよい。
【００５８】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。GERANからE-UTRANへのInter-RAT PSドメインハンドオーバが実行される際、GERANとE-UTRANは、上記の方法で、ピアシステムの負荷情報を取得することができ、その結果、異なるRATシステム間での負荷分散の実施が可能とされる。したがって、システムの通信品質が保証される。
【００５９】
図7は、本発明の第7の実施形態による負荷情報を取得するための方法の概略的なフローチャートである。図7に示すように、本実施形態は、E-UTRANからGERANへのPSドメインハンドオーバに適用可能である。本実施形態の負荷情報を取得するための方法は、以下のステップを含みうる。
【００６０】
ステップ701:ソースセルが属するソースeNBは、SGSNに、ソースセル負荷情報IEを伝える第1のTransparent Container IEを伝えるHANDOVER REQUIREDメッセージを送信する。
【００６１】
ステップ702:SGSNは、HANDOVER REQUIREDメッセージを受信し、ターゲットセルが属するターゲットBSSに、第1のTransparent Container IEを伝える第2のPS-HANDOVER-REQUESTメッセージを送信する。
【００６２】
ステップ703:ターゲットBSSは、第2のPS-HANDOVER-REQUESTメッセージを受信し、SGSNに、ターゲットセル負荷情報IEを伝える第2のTransparent Container IEを伝えるPS-HANDOVER-REQUEST-ACKNOWLEDGEメッセージを返信する。
【００６３】
ステップ704:SGSNは、PS-HANDOVER-REQUEST-ACKNOWLEDGEメッセージを受信し、ソースeNBに、第2のTransparent Container IEを伝える第2のHANDOVER COMMANDメッセージを返信する。
【００６４】
本実施形態では、第1のTransparent Container IEは、Inter-System Information Transparent Container IEまたはSource BSS To Target BSS Transparent ContainerIEであってよい。同様に、第2のTransparent Container IEは、Inter-System Information Transparent Container IEまたはTarget BSS To Source BSS Transparent Container IEであってよい。
【００６５】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。E-UTRANからGERANへのInter-RAT PSドメインハンドオーバが実行される際、E-UTRANとGERANは、上記の方法で、ピアシステムの負荷情報を取得することができ、その結果、異なるRATシステム間での負荷分散の実施が可能とされる。したがって、システムの通信品質が保証される。
【００６６】
本発明の上記第2から第7の実施形態はすべて、成功ハンドオーバシナリオであることに留意されたい。当業者には、本発明の実施形態が失敗ハンドオーバシナリオともなりうること、すなわち、第2のTransparent Container IEが、失敗を示す応答メッセージで伝えられることが容易に理解されよう。本明細書では、そのようなシナリオについてはこれ以上説明しない。
【００６７】
本発明の第1から第7の実施形態による負荷情報を取得するための方法では、ソースアクセスコントローラとターゲットアクセスコントローラは、ソースアクセスコントローラがハンドオーバ関連の手順を開始した後にのみ負荷情報を交換することができる。この場合、ソースアクセスコントローラによって取得されたターゲットセル負荷情報は、ターゲットアクセスコントローラの過負荷による現行ハンドオーバの失敗を避けることができないが、異なるRATシステム間で負荷分散を実施するために次の成功ハンドオーバの保証としてのみ使用することができ、その結果、システムの通信品質が保証される。
【００６８】
図8は、本発明の第8の実施形態による負荷情報を取得するための他の方法の他のフローチャートである。図8に示すように、本実施形態の負荷情報を取得するための方法は以下のステップを含む。
【００６９】
ステップ801:Inter-RATハンドオーバが実行される前に、ソースRATシステムのソースセルが属するソースアクセスコントローラは、ターゲットRATシステムのターゲットセルが属するターゲットアクセスコントローラに、コアネットワークを介してRIMに基づく負荷情報要求メッセージを送信する。
【００７０】
ステップ802:ソースアクセスコントローラは、RIMに基づく負荷情報要求メッセージに応じてターゲットアクセスコントローラによって返信された、ターゲットセルの負荷情報を伝えるRIMに基づく負荷情報応答メッセージを、コアネットワークを介して受信する。
【００７１】
本実施形態では、ソースRATシステムとターゲットRATシステムは、GERAN、UTRAN、およびE-UTRANのいずれか2つであってよい。対応するアクセスコントローラは、それぞれBSS、RNC、およびeNBである。
【００７２】
本実施形態では、ソースアクセスコントローラは、ターゲットアクセスコントローラに、RIMに基づく負荷情報要求メッセージをイベント駆動方式または定期方式で送信しうる。例えば、ソースセルの負荷が60%を超えた場合、ソースセルは、RIMに基づく負荷情報要求メッセージを、コアネットワークを介してターゲットアクセスコントローラに送信するようにソースアクセスコントローラを駆動するように、そのソースアクセスコントローラに所定のイベントを報告するか、またはソースアクセスコントローラは、所定の間隔でRIMに基づく負荷情報要求メッセージを、コアネットワークを介してターゲットアクセスコントローラに送信するように駆動される。
【００７３】
本実施形態では、ソースアクセスコントローラとターゲットアクセスコントローラは、RIMに基づく負荷情報要求メッセージとRIMに基づく負荷情報応答メッセージとを介して対話することができ、その結果、ソースRATシステムは、Inter-RATハンドオーバが実行される前にターゲットRATシステムの負荷情報を取得する。したがって、異なるRATシステム間での負荷分散の実施が可能とされ、システムの通信品質が保証される。
【００７４】
本実施形態による負荷情報を取得するための方法におけるターゲットセルの数は1個または複数個であってよいことに留意されたい。具体的には、RIMに基づく負荷情報要求メッセージでは、1個のターゲットセルのセルIDまたは多数のターゲットセルのセルIDのリストを伝えることによって1個または複数個のターゲットセルを示すことができる。多数のターゲットセルの場合、多数のターゲットセルのセルIDのリストを伝えるRIMに基づく負荷情報要求メッセージの受信後に、コアネットワークは、そのセルIDのリスト内のターゲットセルIDに応じて各ターゲットセルのターゲットアクセスコントローラを配置する。各ターゲットアクセスコントローラは、ソースセルが属するソースアクセスコントローラに、それぞれのターゲットセルの負荷情報を伝えるRIMに基づく負荷情報応答メッセージを返信する。ソースアクセスコントローラと多数のターゲットアクセスコントローラは、RIMに基づく負荷情報要求メッセージとRIMに基づく負荷情報応答メッセージとを介して対話し、その結果、ソースRATシステムは、Inter-RATハンドオーバが実行される前に多数のターゲットRATシステムの負荷情報を取得する。上記の方法で、異なるRATシステム間で負荷分散を実施するために、多数のセルの負荷情報に応じて、ターゲットセルをより能率的に選択することができる。したがって、システムの通信品質がさらに保証される。
【００７５】
本実施形態では、ソースアクセスコントローラとターゲットアクセスコントローラの間にインターフェースが定義されていないので、負荷情報要求メッセージと負荷情報応答メッセージは、コアネットワーク内のSGSN(PSドメイン)または移動交換局(MSC、CSドメイン)を介して透過的に伝送することができる。
【００７６】
前述のRATシステムのいずれか2つの間におけるInter-RAT PSドメインハンドオーバが実行される前に、異なるRATシステムの各アクセスコントローラは、異なるRIM関連メッセージを介してコアネットワークと対話する。具体的な手順を、本発明の以下の6例の実施形態で詳細に説明する。
【００７７】
図9は、本発明の第9の実施形態による負荷情報を取得するための他の方法の概略的なフローチャートである。図9に示すように、本実施形態は、UTRANからE-UTRANへのハンドオーバに適用可能である。本実施形態の負荷情報を取得するための方法は、以下のステップを含みうる。
【００７８】
ステップ901:ソースセルが属するソースRNCは、SGSNまたはMSCに、ソースセル負荷情報IEを伝える第1のRIM TRANSFER IEを伝える前記第1のInter-System Information Transfer Type IEを伝える第1のDIRECT INFORMATION TRANSFERメッセージを送信する。
【００７９】
ステップ902:SGSNまたはMSCは、第1のDIRECT INFORMATION TRANSFERメッセージを受信し、ターゲットセルが属するターゲットeNBに、第1のInter-System Information Transfer Type IEを伝える第1のMME DIRECT INFORMATION TRANSFERメッセージを送信する。
【００８０】
ステップ903:ターゲットeNBは、第1のMME DIRECT INFORMATION TRANSFERメッセージを受信し、SGSNまたはMSCに、ターゲットセル負荷情報IEを伝える第2のRIM TRANSFER IEを伝える第2のInter-System Information Transfer Type IEを伝えるeNB DIRECT INFORMATION TRANSFERメッセージを返信する。
【００８１】
ステップ904:SGSNまたはMSCは、eNB DIRECT INFORMATION TRANSFERメッセージを受信し、ソースRNCに、第2のInter-System Information Transfer Type IEを伝える第2のDIRECT INFORMATION TRANSFERメッセージを返信する。
【００８２】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。UTRANからE-UTRANへのInter-RATハンドオーバが実行される前に、UTRANとE-UTRANは、上記の方法で、ピアシステムの負荷情報を取得することができ、その結果、異なるRATシステム間での負荷分散の実施が可能とされる。したがって、システムの通信品質が保証される。
【００８３】
図10は、本発明の第10の実施形態による負荷情報を取得するための他の方法の概略的なフローチャートである。図10に示すように、本実施形態は、UTRANからGERANへのハンドオーバに適用可能である。本実施形態の負荷情報を取得するための方法は、以下のステップを含みうる。
【００８４】
ステップ1001:ソースセルが属するソースRNCは、SGSNまたはMSCに、ソースセル負荷情報IEを伝える第1のRIM TRANSFER IEを伝える第1のInter-System Information Transfer Type IEを伝える第1のDIRECT INFORMATION TRANSFERメッセージを送信する。
【００８５】
ステップ1002:SGSNまたはMSCは、第1のDIRECT INFORMATION TRANSFERメッセージを受信し、ターゲットセルが属するターゲットBSSに、ソースセル負荷情報IEを伝える第1のRIM Container IEを伝える第1のRIM-PDU-TRANSFER.reqメッセージを送信する。
【００８６】
ステップ1003:ターゲットBSSは、第1のRIM-PDU-TRANSFER.reqメッセージを受信し、SGSNまたはMSCに、ターゲットセル負荷情報IEを伝える第2のRIM Container IEを伝える第1のRIM-PDU-TRANSFER.indメッセージを返信する。
【００８７】
ステップ1004:SGSNまたはMSCは、第1のRIM-PDU-TRANSFER.indメッセージを受信し、ソースRNCに、ターゲットセル負荷情報IEを伝える第3のRIM TRANSFER IEを伝える第3のInter-System Information Transfer Type IEを伝える第3のDIRECT INFORMATION TRANSFERメッセージを返信する。
【００８８】
本実施形態では、第1のRIM-PDU-TRANSFER.reqメッセージはRAN-INFORMATION-REQUEST PDUメッセージを含むことができ、第1のRIM-PDU-TRANSFER.indメッセージはRAN-INFORMATION PDUメッセージを含むことができる。
【００８９】
本実施形態では、異なるシステムの負荷情報は、第1のRIM Transfer IEと第1のRIM Container IEとでソースセル負荷情報IEを伝え、第2のRIM Container IEと第2のRIM Transfer IEとでターゲットセル負荷情報IEを伝えることにより交換される。UTRANからGERANへのInter-RATハンドオーバが実行される前に、UTRANとGERANは、上記の方法で、ピアシステムの負荷情報を取得することができ、その結果、異なるRATシステム間での負荷分散の実施が可能とされる。したがって、システムの通信品質が保証される。
【００９０】
図11は、本発明の第11の実施形態による負荷情報を取得するための他の方法の概略的なフローチャートである。図11に示すように、本実施形態は、E-UTRANからUTRANへのハンドオーバに適用可能である。本実施形態の負荷情報を取得するための方法は、以下のステップを含みうる。
【００９１】
ステップ1101:ソースセルが属するソースeNBは、SGSNまたはMSCに、ソースセル負荷情報IEを伝える第2のRIM TRANSFER IEを伝える第2のInter-System Information Transfer Type IEを伝えるeNB DIRECT INFORMATION TRANSFERメッセージを送信する。
【００９２】
ステップ1102:SGSNまたはMSCは、eNB DIRECT INFORMATION TRANSFERメッセージを受信し、ターゲットセルが属するターゲットRNCに、第2のInter-System Information Transfer Type IEを伝える第2のDIRECT INFORMATION TRANSFERメッセージを送信する。
【００９３】
ステップ1103:ターゲットRNCは、第2のDIRECT INFORMATION TRANSFERメッセージを受信し、SGSNまたはMSCに、ターゲットセル負荷情報IEを伝える第1のRIM TRANSFER IEを伝える第1のInter-System Information Transfer Type IEを伝える第1のDIRECT INFORMATION TRANSFERメッセージを返信する。
【００９４】
ステップ1104:SGSNまたはMSCは、第1のDIRECT INFORMATION TRANSFERメッセージを受信し、ソースeNBに、第1のInter-System Information Transfer Type IEを伝える第1のMME DIRECT INFORMATION TRANSFERメッセージを返信する。
【００９５】
本実施形態では、異なるRATシステムの負荷情報は、第1のTransparent Container IEで伝えられるソースセル負荷情報IEと第2のTransparent Container IEで伝えられるターゲットセル負荷情報IEとを介して交換される。E-UTRANからUTRANへのInter-RATハンドオーバが実行される前に、E-UTRANとUTRANは、上記の方法で、ピアシステムの負荷情報を取得することができ、その結果、異なるRATシステム間での負荷分散の実施が可能とされる。したがって、システムの通信品質が保証される。
【００９６】
図12は、本発明の第12の実施形態による負荷情報を取得するための他の方法の概略的なフローチャートである。図12に示すように、本実施形態は、GERANからUTRANへのハンドオーバに適用可能である。本実施形態の負荷情報を取得するための方法は、以下のステップを含みうる。
【００９７】
ステップ1201:ソースセルが属するソースBSSは、SGSNまたはMSCに、ソースセル負荷情報IEを伝える第3のRIM Container IEを伝える第2のRIM-PDU-TRANSFER.reqメッセージを送信する。
【００９８】
ステップ1202:SGSNまたはMSCは、第2のRIM-PDU-TRANSFER.reqメッセージを受信し、ターゲットセルが属するターゲットRNCに、ソースセル負荷情報IEを伝える第3のRIM Transfer IEを伝える第3のInter-System Information Transfer Type IEを伝える第3のDIRECT INFORMATION TRANSFERメッセージを送信する。
【００９９】
ステップ1203:ターゲットRNCは、第3のDIRECT INFORMATION TRANSFERメッセージを受信し、SGSNまたはMSCに、ターゲットセル負荷情報IEを伝える第1のRIM TRANSFER IEを伝える第1のInter-System Information Transfer Type IEを伝える第1のDIRECT INFORMATION TRANSFERメッセージを返信する。
【０１００】
ステップ1204:SGSNまたはMSCは、第1のDIRECT INFORMATION TRANSFERメッセージを受信し、ソースBSSに、ターゲットセル負荷情報IEを伝える第4のRIM Container IEを伝える第2のRIM-PDU-TRANSFER.indメッセージを返信する。
【０１０１】
本実施形態では、第2のRIM-PDU-TRANSFER.reqメッセージはRAN-INFORMATION-REQUEST PDUメッセージを含むことができ、第2のRIM-PDU-TRANSFER.indメッセージはRAN-INFORMATION PDUメッセージを含むことができる。
【０１０２】
本実施形態では、異なるシステムの負荷情報は、第3のRIM Container IEと第3のRIM Transfer IEとでソースセル負荷情報IEを伝え、第1のRIM Transfer IEと第4のRIM Container IEとでターゲットセル負荷情報IEを伝えることにより交換される。GERANからUTRANへのInter-RATハンドオーバが実行される前に、GERANとUTRANは、上記の方法で、ピアシステムの負荷情報を取得することができ、その結果、異なるRATシステム間での負荷分散の実施が可能とされる。したがって、システムの通信品質が保証される。
【０１０３】
図13は、本発明の第13の実施形態による負荷情報を取得するための他の方法の概略的なフローチャートである。図13に示すように、本実施形態は、GERANからE-UTRANへのハンドオーバに適用可能である。本実施形態の負荷情報を取得するための方法は、以下のステップを含みうる。
【０１０４】
ステップ1301:ソースセルが属するソースBSSは、SGSNまたはMSCに、ソースセル負荷情報IEを伝える第3のRIM Container IEを伝える第2のRIM-PDU-TRANSFER.reqメッセージを送信する。
【０１０５】
ステップ1302:SGSNまたはMSCは、第2のRIM-PDU-TRANSFER.reqメッセージを受信し、ターゲットセルが属するターゲットeNBに、ソースセル負荷情報IEを伝える第3のRIM Transfer IEを伝える第3のInter-System Information Transfer Type IEを伝える第2のMME DIRECT INFORMATION TRANSFERメッセージを送信する。
【０１０６】
ステップ1303:ターゲットeNBは、第2のMME DIRECT INFORMATION TRANSFERメッセージを受信し、SGSNまたはMSCに、ターゲットセル負荷情報IEを伝える第2のRIM TRANSFER IEを伝える第2のInter-System Information Transfer Type IEを伝えるeNB DIRECT INFORMATION TRANSFERメッセージを返信する。
【０１０７】
ステップ1304:SGSNまたはMSCは、eNB DIRECT INFORMATION TRANSFERメッセージを受信し、ソースBSSに、ターゲットセル負荷情報IEを伝える第5のRIM Container IEを伝える第3のRIM-PDU-TRANSFER.indメッセージを返信する。
【０１０８】
本実施形態では、第2のRIM-PDU-TRANSFER.reqメッセージはRAN-INFORMATION-REQUEST PDUメッセージを含むことができ、第3のRIM-PDU-TRANSFER.indメッセージはRAN-INFORMATION PDUメッセージを含むことができる。
【０１０９】
本実施形態では、異なるシステムの負荷情報は、第3のRIM Container IEと第3のRIM Transfer IEとでソースセル負荷情報IEを伝え、第2のRIM Transfer IEと第5のRIM Container IEとでターゲットセル負荷情報IEを伝えることにより交換される。GERANからE-UTRANへのInter-RATハンドオーバが実行される前に、GERANとE-UTRANは、上記の方法で、ピアシステムの負荷情報を取得することができ、その結果、異なるRATシステム間での負荷分散の実施が可能とされる。したがって、システムの通信品質が保証される。
【０１１０】
図14は、本発明の第14の実施形態による負荷情報を取得するための他の方法の概略的なフローチャートである。図14に示すように、本実施形態は、E-UTRANからGERANへのハンドオーバに適用可能である。本実施形態の負荷情報を取得するための方法は、以下のステップを含みうる。
【０１１１】
ステップ1401:ソースセルが属するソースeNBは、SGSNまたはMSCに、ソースセル負荷情報IEを伝える第2のRIM TRANSFER IEを伝える第2のInter-System Information Transfer Type IEを伝えるeNB DIRECT INFORMATION TRANSFERメッセージを送信する。
【０１１２】
ステップ1402:SGSNまたはMSCは、eNB DIRECT INFORMATION TRANSFERメッセージを受信し、ターゲットセルが属するターゲットBSSに、ソースセル負荷情報IEを伝える第6のRIM Container IEを伝える第3のRIM-PDU-TRANSFER.reqメッセージを送信する。
【０１１３】
ステップ1403:ターゲットBSSは、第3のRIM-PDU-TRANSFER.reqメッセージを受信し、SGSNまたはMSCに、ターゲットセル負荷情報IEを伝える第2のRIM Container IEを伝える第1のRIM-PDU-TRANSFER.indメッセージを返信する。
【０１１４】
ステップ1404:SGSNまたはMSCは、第1のRIM-PDU-TRANSFER.indメッセージを受信し、ソースeNBに、ターゲットセル負荷情報IEを伝える第3のRIM TRANSFER IEを伝える第3のInter-System Information Transfer Type IEを伝える第2のMME DIRECT INFORMATION TRANSFERメッセージを返信する。
【０１１５】
本実施形態では、第3のRIM-PDU-TRANSFER.reqメッセージはRAN-INFORMATION-REQUEST PDUメッセージを含むことができ、第1のRIM-PDU-TRANSFER.indメッセージはRAN-INFORMATION PDUメッセージを含むことができる。
【０１１６】
本実施形態では、異なるシステムの負荷情報は、第2のRIM Transfer IEと第6のRIM Container IEとでソースセル負荷情報IEを伝え、第2のRIM Container IEと第3のRIM Transfer IEとでターゲットセル負荷情報IEを伝えることにより交換される。E-UTRANからGERANへのInter-RATハンドオーバが実行される前に、E-UTRANとGERANは、上記の方法で、ピアシステムの負荷情報を取得することができ、その結果、異なるRATシステム間での負荷分散の実施が可能とされる。したがって、システムの通信品質が保証される。
【０１１７】
本発明の第8から第14の実施形態による負荷情報を取得するための方法では、ソースアクセスコントローラがハンドオーバ関連の手順を開始する前にソースアクセスコントローラとターゲットアクセスコントローラの間で負荷情報が取得される。この場合、ソースアクセスコントローラによって取得されたターゲットセル負荷情報を現行ハンドオーバの成功の保証とすることができ、また、ターゲットアクセスコントローラの過負荷による現行ハンドオーバの失敗を効果的に回避する一助とすることができる。したがって、システムの通信品質を保証するために、異なるRATシステム間での負荷分散の実施が可能となる。
【０１１８】
説明の便宜上、本発明の上記の実施形態はすべて一連のアクションとして説明したが、本発明は本明細書に記載した一続きのアクションに限定されず、本発明によれば、一部のステップは他の順序で実行されうるか、または同時に実行されうることを当業者ならば理解できることに留意されたい。当業者にはまた、本明細書に記載の実施形態が本発明の一部の実施形態にすぎないこと、また、当該のアクションおよびモジュールは本発明では必須ではないことも理解されよう。
【０１１９】
本発明の上記の各実施形態は、それぞれの要点を有する。本発明の一実施形態で詳述されていない点は、他の一実施形態の関連説明で詳述されている。
【０１２０】
図15は、本発明の第15の実施形態によるアクセスコントローラの概略的な構造図である。図15に示すように、本実施形態のアクセスコントローラは、第1の送信モジュール151と第1の受信モジュール152とを備えうる。第1の送信モジュール151は、Inter-RAT PSドメインハンドオーバが実行される際に、ターゲットセルが属するターゲットアクセスコントローラに、コアネットワークを介してInter-RATハンドオーバ要求メッセージを送信するように構成され、第1の受信モジュール152は、Inter-RATハンドオーバ要求メッセージに応じてターゲットアクセスコントローラによって返信された、ターゲットセルの負荷情報を伝えるInter-RATハンドオーバ応答メッセージを、コアネットワークを介して受信するように構成される。
【０１２１】
本発明の第1の実施形態のソースアクセスコントローラ、本発明の第2の実施形態のソースRNC、本発明の第3の実施形態のソースRNC、本発明の第4の実施形態のソースeNB、本発明の第5の実施形態のソースBSS、本発明の第6の実施形態のソースBSS、および本発明の第7の実施形態のソースeNBはすべて、本実施形態で提供されるアクセスコントローラによって実施されうる。
【０１２２】
図16は、本発明の第16の実施形態による他のアクセスコントローラの概略的な構造図である。図16に示すように、本実施形態のアクセスコントローラは、第2の受信モジュール161と第2の送信モジュール162とを備える。第2の受信モジュール161は、ソースセルが属するソースアクセスコントローラによって送信されたInter-RATハンドオーバ要求メッセージを、コアネットワークを介して受信するように構成され、第2の送信モジュール162は、本発明の本実施形態のアクセスコントローラが担当するターゲットセルの負荷情報を伝えるInter-RATハンドオーバ応答メッセージを、コアネットワークを介してソースアクセスコントローラに返信するように構成される。
【０１２３】
本発明の第1の実施形態のターゲットアクセスコントローラ、本発明の第2の実施形態のターゲットeNB、本発明の第3の実施形態のターゲットBSS、本発明の第4の実施形態のターゲットRNC、本発明の第5の実施形態のターゲットRNC、本発明の第6の実施形態のターゲットeNB、および本発明の第7の実施形態のターゲットBSSはすべて、本実施形態で提供されるアクセスコントローラによって実施されうる。
【０１２４】
図17は、本発明の第17の実施形態によるさらに他のアクセスコントローラの概略的な構造図である。図17に示すように、本発明の本実施形態のアクセスコントローラは、第3の送信モジュール171と第3の受信モジュール172とを備えうる。第3の送信モジュール171は、Inter-RATハンドオーバが実行される前に、ターゲットセルが属するターゲットアクセスコントローラに、コアネットワークを介して、RIMに基づく負荷情報要求メッセージを送信するように構成され、第3の受信モジュール172は、RIMに基づく負荷情報要求メッセージに応じてターゲットアクセスコントローラによって返信された、ターゲットセルの負荷情報を伝えるRIMに基づく負荷情報応答メッセージを、コアネットワークを介して受信するように構成される。
【０１２５】
本発明の第8の実施形態のソースアクセスコントローラ、本発明の第9の実施形態のソースRNC、本発明の第10の実施形態のソースRNC、本発明の第11の実施形態のソースeNB、本発明の第12の実施形態のソースBSS、本発明の第13の実施形態のソースBSS、および本発明の第14の実施形態のソースeNBはすべて、本実施形態で提供されるアクセスコントローラによって実施されうる。
【０１２６】
図18は、本発明の第18の実施形態によるさらに他のアクセスコントローラの概略的な構造図である。図18に示すように、本実施形態のアクセスコントローラは、第4の受信モジュール181と第4の送信モジュール182とを備える。第4の受信モジュール181は、ソースセルが属するソースアクセスコントローラによってコアネットワークを介して送信されたRIMに基づく負荷情報要求メッセージを受信するように構成され、第4の送信モジュール182は、本発明の本実施形態で提供されるアクセスコントローラが担当するターゲットセルの負荷情報を伝えるRIMに基づく負荷情報応答メッセージを、コアネットワークを介してソースアクセスコントローラに返信するように構成される。
【０１２７】
本発明の第8の実施形態のターゲットアクセスコントローラ、本発明の第9の実施形態のターゲットeNB、本発明の第10の実施形態のターゲットBSS、本発明の第11の実施形態のターゲットRNC、本発明の第12の実施形態のターゲットRNC、本発明の第13の実施形態のターゲットeNB、および本発明の第14の実施形態のターゲットBSSはすべて、本実施形態で提供されるアクセスコントローラによって実施されうる。
【０１２８】
図19は、本発明の第19の実施形態による負荷情報を取得するためのシステムの概略的な構造図である。図19に示すように、本実施形態の負荷情報を取得するためのシステムは、ソースRATシステムのソースセルが属する第1のソースアクセスコントローラ10と、ターゲットRATシステムのターゲットセルが属する第1のターゲットアクセスコントローラ20とを備えうる。
【０１２９】
第1のソースアクセスコントローラ10は、Inter-RAT PSドメインハンドオーバが実行される際に、ターゲットセルが属する第1のターゲットアクセスコントローラ20に、コアネットワークを介してInter-RATハンドオーバ要求メッセージを送信するように構成され、第1のターゲットアクセスコントローラ20によって返信された、ターゲットセルの負荷情報を伝えるInter-RATハンドオーバ応答メッセージを、コアネットワークを介して受信するように構成される。
【０１３０】
第1のターゲットアクセスコントローラ20は、ソースセルが属する第1のソースアクセスコントローラ10によってコアネットワークを介して送信されたInter-RATハンドオーバ要求メッセージを受信するように構成され、第1のソースアクセスコントローラ10にコアネットワークを介してInter-RATハンドオーバ応答メッセージを返信するように構成される。
【０１３１】
本発明の第1の実施形態のソースアクセスコントローラ、本発明の第2の実施形態のソースRNC、本発明の第3の実施形態のソースRNC、本発明の第4の実施形態のソースeNB、本発明の第5の実施形態のソースBSS、本発明の第6の実施形態のソースBSS、および本発明の第7の実施形態のソースeNBはすべて、本実施形態の負荷情報を取得するシステムの第1のソースアクセスコントローラ10によって実施することができ、本発明の第1の実施形態のターゲットアクセスコントローラ、本発明の第2の実施形態のターゲットeNB、本発明の第3の実施形態のターゲットBSS、本発明の第4の実施形態のターゲットRNC、本発明の第5の実施形態のターゲットRNC、本発明の第6の実施形態のターゲットeNB、および本発明の第7の実施形態のターゲットBSSはすべて、本実施形態の負荷情報を取得するためのシステムの第1のターゲットアクセスコントローラ20によって実施することができる。
【０１３２】
本実施形態では、ソースアクセスコントローラとターゲットアクセスコントローラは、Inter-RATハンドオーバ関連メッセージを介して対話することができる。Inter-RAT PSドメインハンドオーバが実行される際、ソースRATシステムは、上記の方法で、ターゲットRATシステムの負荷情報を取得することができ、その結果、異なるRATシステム間での負荷分散の実施が可能とされる。したがって、システムの通信品質を保証することができる。
【０１３３】
図20は、本発明の第20の実施形態による負荷情報を取得するための他のシステムの概略的な構造図である。図20に示すように、本実施形態の負荷情報を取得するためのシステムは、ソースRATシステムのソースセルが属する第2のソースアクセスコントローラ30と、ターゲットRATシステムのターゲットセルが属する第2のターゲットアクセスコントローラ40とを備えうる。
【０１３４】
第2のソースアクセスコントローラ30は、Inter-RATハンドオーバが実行される前に、ターゲットセルが属する第2のターゲットアクセスコントローラ40に、コアネットワークを介してRIMに基づく負荷情報要求メッセージを送信するように構成され、第2のターゲットアクセスコントローラ40によって返信された、ターゲットセルの負荷情報を伝えるRIMに基づく負荷情報応答メッセージを、コアネットワークを介して受信するように構成される。
【０１３５】
第2のターゲットアクセスコントローラ40は、ソースセルが属する第2のソースアクセスコントローラ30によってコアネットワークを介して送信されたRIMに基づく負荷情報要求メッセージを受信するように構成され、第2のソースアクセスコントローラ30にコアネットワークを介してRIMに基づく負荷情報応答メッセージを返信するように構成される。
【０１３６】
本発明の第8の実施形態のソースアクセスコントローラ、本発明の第9の実施形態のソースRNC、本発明の第10の実施形態のソースRNC、本発明の第11の実施形態のソースeNB、本発明の第12の実施形態のソースBSS、本発明の第13の実施形態のソースBSS、および本発明の第14の実施形態のソースeNBはすべて、本実施形態の負荷情報を取得するためのシステムの第2のソースアクセスコントローラ30によって実施することができ、本発明の第8の実施形態のターゲットソースアクセスコントローラ、本発明の第9の実施形態のターゲットeNB、本発明の第10の実施形態のターゲットBSS、本発明の第11の実施形態のターゲットRNC、本発明の第12の実施形態のターゲットRNC、本発明の第13の実施形態のターゲットeNB、および本発明の第14の実施形態のターゲットBSSはすべて、本実施形態の負荷情報を取得するためのシステムの第2のターゲットアクセスコントローラ40によって実施することができる。
【０１３７】
本実施形態では、ソースアクセスコントローラとターゲットアクセスコントローラは、RIMに基づく負荷情報要求メッセージとRIMに基づく負荷情報応答メッセージとを介して対話することができ、その結果、ソースRATシステムは、Inter-RATハンドオーバが実行される前にターゲットRATシステムの負荷情報を取得する。上記の方法で、異なるRATシステム間での負荷分散の実施が可能とされ、システムの通信品質の保証が可能とされる。
【０１３８】
当業者には、本発明の実施形態の方法のステップのすべてまたは一部は、ハードウェアによってプログラムの命令下で実施されうることが理解されよう。このプログラムはコンピュータ可読記憶媒体に記憶することができ、プログラムが実行された場合に、本発明の実施形態の方法のステップが実行される。この記憶媒体は、読み出し専用メモリ(Read Only Memory、ROM)、ランダムアクセスメモリ(RAM)、磁気ディスク、またはコンパクトディスク読み出し専用メモリ(CD-ROM)といった、プログラムコードを記憶することのできるいかなる媒体であってもよい。
【０１３９】
本発明をいくつかの実施形態を通して具体的に説明したが、本発明はこれらの実施形態に限定されるものではない。当業者が本発明の趣旨および範囲を逸脱せずに本発明に様々な修正および変更をなしうることは、明らかである。本発明には、特許請求の範囲で規定された保護範囲に含まれる、提供された修正形態および変形形態、またはそれらの等価形態を包含することが意図される。
【符号の説明】
【０１４０】
10  第1のソースアクセスコントローラ
20  第1のターゲットアクセスコントローラ
30  第2のソースアクセスコントローラ
40  第2のターゲットアクセスコントローラ
151  第1の送信モジュール
152  第1の受信モジュール
161  第2の送信モジュール
162  第2の受信モジュール
171  第3の送信モジュール
172  第3の受信モジュール
181  第4の送信モジュール
182  第4の受信モジュール
【図１】
0005243658.tif 000002
【図２】
0005243658.tif 000003
【図３】
0005243658.tif 000004
【図４】
0005243658.tif 000005
【図５】
0005243658.tif 000006
【図６】
0005243658.tif 000007
【図７】
0005243658.tif 000008
【図８】
0005243658.tif 000009
【図９】
0005243658.tif 000010
【図１０】
0005243658.tif 000011
【図１１】
0005243658.tif 000012
【図１２】
0005243658.tif 000013
【図１３】
0005243658.tif 000014
【図１４】
0005243658.tif 000015
【図１５】
0005243658.tif 000016
【図１６】
0005243658.tif 000017
【図１７】
0005243658.tif 000018
【図１８】
0005243658.tif 000019
【図１９】
0005243658.tif 000020
【図２０】
0005243658.tif 000021